(57)【要約】【課題】被施術者の意思を施術者に確実に伝達することができ、かつ施術の妨げにもならず、安全上の問題を起こすことがない装置を提供する。【解決手段】施術用眼鏡１０には赤色のＬＥＤ１２が取り付けられている。ＬＥＤ１２は施術用眼鏡１０のフレーム部分の前面に埋め込まれており、施術用眼鏡１０の前方をスポット的に照射する。歯科医師が施術用眼鏡１０を装着して治療を行う場合、ＬＥＤ１２の照射スポットは歯科医師の術野内にある患者の口腔部になるため、治療中であっても容易に確認することができる。【選択図】図１
2015211794.tif 000002
【特許請求の範囲】
【請求項１】
施術者の術野内を照射する光源と、
被施術者が前記光源の通電操作を行うためのスイッチを備える、
施術用眼鏡。
【請求項２】
前記光源が、施術者から直接光を直視できない位置に設けられている、
請求項１に記載の施術用眼鏡。
【請求項３】
前記光源が、術野内にある被施術者の身体の一部をピンポイントで照射する、
請求項１または２に記載の施術用眼鏡。
【発明の詳細な説明】
【技術分野】
【０００１】
本発明は、被施術者の意思を施術者に伝達する機能を備えた施術用眼鏡に関する。
【背景技術】
【０００２】
医療行為において患者が受ける肉体的ストレスおよび精神的ストレスには計り知れないものがある。特に歯科治療においては、リーマによる振動等が歯神経を刺激して非常な痛みを伴うこともあるため、患者にとっては多大なストレスになっている。また歯科医師としては患者にできるだけ苦痛を与えたくないという思いがあり、心理的なプレッシャーを感じながら治療行為を進めなければならないという状況にある。患者が痛みを感じたら歯科医師に合図するように事前に伝えることもあるが、治療行為に集中する歯科医師に合図が伝わらない場面も多い。また患者にしても、どのように対応していいのか戸惑うあまり合図するのをためらいがちになり、痛みを我慢する傾向にある。
【０００３】
このような患者と歯科医師との間の意思伝達を図るため、従来いくつかの技術が提案されている。例えば、患者がスイッチを押すと警告音が発生する装置(例えば、特許文献１を参照のこと。)、警告灯が点灯もしくは点滅する装置(同じく特許文献１を参照のこと。)、無影灯の点灯パターンを変調させる装置(例えば、特許文献２を参照のこと。)などが提案されている。
【先行技術文献】
【特許文献】
【０００４】
【特許文献１】実登第３０８６９３６号公報
【特許文献２】特公昭５３−１０５８８０号公報
【発明の概要】
【発明が解決しようとする課題】
【０００５】
しかしながら、これらの各装置については次に挙げるような問題を指摘することができる。警告音が発生する場合、施術する歯科医師以外の医療スタッフや他の患者にも聴こえてしまうことから、患者はスイッチを押すことをためらいがちになるであろう。一方、警告灯であれば、歯科医師のみが見ることができる場所に設置してくことも可能であるが、歯科医師の視界の死角にあるときには意思を伝えることができない。また歯科医師の目に刺激を与えることもあり、治療の妨げになることもある。これに対し、無影灯の点灯パターンを変調させる方法によれば、比較的確実に意思を伝達することは可能ではあるが、歯科医師の手元を確実に照射するという本来の目的を果たせなくなり、安全上の問題がある。
【０００６】
そこで本発明が解決しようとする課題は、被施術者の意思を施術者に確実に伝達することができ、かつ施術の妨げにもならず、安全上の問題を起こすことがない装置を提供することにある。
【課題を解決するための手段】
【０００７】
本発明は、施術者の術野内を照射する光源と、被施術者が前記光源の通電操作を行うためのスイッチを備える施術用眼鏡である。
【０００８】
施術者の術野内を照射すれば、施術者は施術中に特段の注意を払わなくても光の存在に気付くことができる。また照射範囲が術野内もしくはその周辺に限られているため、施術者以外のスタッフに気付かれる可能性は極めて低い。
【０００９】
光源は、施術者から直接光を直視できない位置に設けられていることが望ましい。このようにすれば、光が施術者の目を直撃することがなく、施術者の視界を奪ったり注意力を妨げたりする危険性が少ない。
【００１０】
光源は、術野内にある被施術者の身体の一部をピンポイントで照射することが望ましい。
【００１１】
術野内にある身体の一部をピンポイントで照射することにより、施術中に注視している部分に光点が生じるため、被施術者がスイッチを操作したタイミングを逃す可能性が少なくなる。
【発明の効果】
【００１２】
本発明によれば、施術中の施術者に被施術者の痛みや希望等の意思を確実に伝えることができるようになる。この場合、施術者以外のスタッフ等には伝わりにくくされているため、周囲に迷惑を及ぼすことも少なく、また被施術者のスイッチ操作に対する遠慮や心理的ストレスも抑えることができる。
【図面の簡単な説明】
【００１３】
【図１】施術用眼鏡の外観図
【図２】電気回路図
【図３】施術用眼鏡と施術箇所の位置関係を示す模式図
【発明を実施するための形態】
【００１４】
図１は施術用眼鏡の概略図である。施術用眼鏡１０は、施術者が施術する際に背術箇所を拡大したり眼を保護したりするために使用する眼鏡である。歯科医師の場合であれば、患者の口腔部を拡大して見たり、研摩屑等が眼に入らないようにするために使用する。施術用眼鏡１０には赤色のＬＥＤ１２が取り付けられている。ＬＥＤ１２は施術用眼鏡１０のフレーム部分の前面に埋め込まれており、施術用眼鏡１０の前方をスポット的に照射する。
【００１５】
図２は電気回路図である。スイッチ１４を操作するとＬＥＤ１２が発光する。制御回路１６はスイッチ１４の操作パターンに対応してＬＥＤ１２の発光パターンを変化させる。電源１８は診療室等にて通常用いられている電源コンセントから供給することができる。スイッチ１４は、患者が直感的に操作することができ、かつ操作ミスが起こりにくいといった機能が求められる。押しボタン式であれば他の多くの場面で用いられており、患者も日常の生活において操作に慣れていると思われる。
【００１６】
図３は、施術用眼鏡と施術箇所の位置関係を示す模式図である。歯科医師が施術用眼鏡１０を装着して治療を行う場合、ＬＥＤ１２の照射スポットは歯科医師の術野内にある患者の口腔部になる。従って、治療中にＬＥＤ１２が点灯もしくは点滅すると患者の口腔部、例えば前歯などに赤い光点２０が生じる。この光点２０は歯科医師の術野内にあるため、治療中であっても容易に確認することができる。ＬＥＤ１２はフレームの前面に埋め込まれているため歯科医師の術野には入らず、直接光が目に届くことはない。歯科医師の目に届く光は直接光ではなく口腔部で反射した反射光であるため、目に刺激を与えることも少なく、治療行為に悪影響を与えることはない。
【００１７】
ＬＥＤ１２の発光パターンとしては、例えば、スイッチを一回だけ操作した場合にはＬＥＤ１２が所定時間点灯し、スイッチを連続して操作したり長押ししたりした場合には所定回数点滅するように設定することができる。例えば歯科治療の場合であれば、歯科医師は患者に対して事前に操作方法について説明し、軽い痛みを感じたときにはボタンを１回押すこと、痛みが酷いときや治療を中断して欲しいときにはボタンを長押しすることを伝えておく。これにより治療中に術野内に光点が確認できたときには患者が痛みを感じていることを知ることができる。また光点が点滅したときは患者が非常な痛みを感じているときであるので、治療の一時中断等を選択することにより患者のストレスを解放してあげることができる。
【００１８】
患者側にとっては、いつでも痛みを伝えることができるという安心感を持つことができ、それだけでもストレスの解放が期待できる。またスイッチ１４を操作した場合であっても治療中の歯科医師以外に知られることはないので、この点でもストレスになることはないと思われる。
【００１９】
ＬＥＤ１２は、施術用眼鏡１０のフレームのリムやブリッジに埋め込んで設置する形態の他にテンプルに設置することも可能である。またリムとテンプルを結ぶヨロイやさらには視界を妨げない位置であればレンズに設置してもよい。
【符号の説明】
【００２０】
１０  施術用眼鏡
１２  ＬＥＤ
１４  スイッチ
１６  制御回路
１８  電源
２０  光点
【図１】
2015211794.tif 000003
【図２】
2015211794.tif 000004
【図３】
2015211794.tif 000005